(57)【要約】【課題】既存の様々な電動ドライバに対して簡易な作業で外付けすることが可能な電動ドライバ操作情報表示器を提供すること。【解決手段】電動ドライバ１０に外付けされて電動ドライバ１０の操作に関する情報を表示する電動ドライバ操作情報表示器５０において、表示器ハウジング５８を、電動ドライバ１０のドライバハウジング１２の外周面１８に固定されるようにした支持固定部材５２に固定することにより、電動ドライバ１０の後端部１４の後方位置に保持するようにする。表示器ハウジング５８内に配置された表示制御回路７８は、電動ドライバ駆動制御回路２２と外部制御回路とのうちの少なくとも一方に接続されて、これら回路からの信号を受信する。表示制御回路７８は、受信した信号に基づき電動ドライバ１０の操作に関する信号を発信して、操作情報表示部６８に前記電動ドライバ１０の操作に関する情報を表示する。【選択図】        図５
2015080831.tif 000002
【特許請求の範囲】
【請求項１】
電動ドライバのドライバハウジングに外付けされ、該電動ドライバの操作に関する情報を表示するようにされた電動ドライバ操作情報表示器であって、
前記電動ドライバの前記ドライバハウジングの後端部の外周面に固定されるようにされた支持固定部材と、
該支持固定部材に設けられた支持固定部に係合固定される固定部を有する表示器ハウジングであって、該固定部を前記支持固定部に固定することにより前記電動ドライバの後端部の後方位置に保持される表示器ハウジングと、
前記表示器ハウジング内に配置される表示制御回路であって、前記電動ドライバの前記ドライバハウジング内に配置された電動ドライバ駆動制御回路と、前記ドライバハウジングの外部にある外部制御回路と、のうちの少なくとも一方に接続され、該少なくとも一方から受信した信号に基づき当該電動ドライバの操作に関する信号を発信する表示制御回路と、
前記表示制御回路が発信した前記電動ドライバの操作に関する信号を受信して前記電動ドライバの操作に関する情報を表示する操作情報表示部と、
を備える電動ドライバ操作情報表示器。
【請求項２】
前記支持固定部材が、前記電動ドライバの前記外周面を覆うリング状の形状を有する、請求項１に記載の電動ドライバ操作情報表示器。
【請求項３】
前記支持固定部材が前記ドライバハウジングの前記外周面の形状に沿う形状の内周面を有する、請求項２に記載の電動ドライバ操作情報表示器。
【請求項４】
前記表示器ハウジングの前記固定部と前記支持固定部材の支持固定部とが、前記支持固定部材の軸線方向で嵌合されるようにされた、請求項２又は３に記載の電動ドライバ操作情報表示器。
【請求項５】
前記電動ドライバの前記ドライバハウジングの前記後端部に、当該電動ドライバを吊り下げるための吊り下げ用穴が設けられており、
前記表示器ハウジングが、該表示器ハウジングの外周面から内周面にまで貫通する貫通孔を有し、
該貫通孔を通って前記吊り下げ用穴に挿入されて前記表示器ハウジングと前記ドライバハウジングの前記後端部とを連結する連結部材をさらに備える、請求項１乃至４の何れか一項に記載の電動ドライバ操作情報表示器。
【請求項６】
前記表示器ハウジングの前記貫通孔が雌ネジになっており、前記連結部材が前記雌ネジに螺合する雄ネジ部材とされている、請求項５に記載の電動ドライバ操作情報表示器。
【請求項７】
前記表示器ハウジングが、吊りフックを固定するための吊り下げ用穴を有する、請求項１乃至６の何れか一項に記載の電動ドライバ操作情報表示器。
【請求項８】
前記操作情報表示部が、前記表示制御回路から前記電動ドライバの操作に関する情報を受信して発光する発光表示素子を有する、請求項１乃至７の何れか一項に記載の電動ドライバ操作情報表示器。
【請求項９】
前記電動ドライバの操作に関する情報が、
前記外部制御回路から送信される信号に基づく、前記電動ドライバが使用可能であることを示す情報と、
前記電動ドライバの動作状態を示す情報と、
前記電動ドライバの修理点検を行う時期を示す情報と、
前記電動ドライバが強制的に停止された状態を示す情報と、
のうちの少なくとも一つである、請求項１乃至８の何れか一項に記載の電動ドライバ操作情報表示器。
【請求項１０】
前記表示制御回路が、受信した前記電動ドライバの操作に関する信号を記録する記録手段と、該記録手段に記録した信号のデータを外部に転送するためのデータ出力端子とを備える、請求項１乃至９の何れか一項に記載の電動ドライバ操作情報表示器。
【請求項１１】
前記表示制御回路が前記電動ドライバ駆動制御回路と接続されるようにされており、
前記表示制御回路に一端が接続された内部信号送信配線をさらに備え、該内部信号送信配線の他端が前記電動ドライバ駆動制御回路に接続されるようにされている、請求項１乃至１０の何れか一項に記載の電動ドライバ操作情報表示器。
【発明の詳細な説明】
【技術分野】
【０００１】
本発明は、電動ドライバの操作に関する情報を表示する電動ドライバ操作情報表示器、及び該電動ドライバ操作情報表示器を備えた操作情報表示機能付き電動ドライバに関する。より具体的には、電動ドライバに外付け可能な電動ドライバ操作情報表示器、及び該電動ドライバ操作情報表示器が外付けされた操作情報表示機能付き電動ドライバに関する。
【背景技術】
【０００２】
電動ドライバにおいて、該電動ドライバの駆動状態を作業者に知らせる表示手段を備えたものが知られている（特許文献１）。この電動ドライバにおいては、モータが駆動状態にあることを示すＬＥＤと、規定以上のトルクが発生してモータが停止された状態であることを示すＬＥＤとが電動ドライバ本体に備えられていて、モータの駆動状態が視覚的に確認できるようになっている。
【０００３】
また、多品種の製品を製造する製造ラインなどでは、製品毎に異なる工具を使用することが必要となる場合が多いが、そのような製造ラインにおいては、どの工具を使用するべきであるかを作業者の判断に任せると誤った工具を使用してしまう虞がある。そのような判断ミスを防止するために、製造ラインでの作業をコントロールするために設けられた制御回路（以下において、この種の制御回路を「外部制御回路」とする）から、使用すべき工具に対して信号を送って、工具に設けられたＬＥＤを点灯させて作業者に使用すべき工具を知らせるようにした工具管理システムが開発されている（特許文献２）。
【０００４】
上述のような、電動ドライバに関するモータの駆動状態を示す情報や、複数ある電動ドライバ等の工具のうちのどれを使用すべきかといった情報などは、それら工具を使用する全てのユーザが求めるものではなく、また、そのような情報が求められる場合でもユーザ毎に表示したい情報は異なる場合がほとんどである。そのため、各ユーザの個別のニーズに対応するために、従来は、特注品として特定の表示機能を備えた電動ドライバを製造していた。また、既に使用している電動ドライバに情報表示機能を後で追加したい場合もある。そのような場合には、後付けで表示器を取り付けることもできるが、電動ドライバには多数の仕様・形状があるので、既存の電動ドライバに表示器を後から取り付ける場合には、各電動ドライバの形状に合わせた表示器をそれぞれ製造する必要があった。
【先行技術文献】
【特許文献】
【０００５】
【特許文献１】実開平６−８３２７２号公報
【特許文献２】特許第５０７８８５５号公報
【発明の概要】
【発明が解決しようとする課題】
【０００６】
しかし、上述のような方法で電動ドライバに情報表示機能を付加することは繁雑で手間のかかる作業であるために、その作業をより簡易にできるようにすることが望まれていた。
【０００７】
そこで本発明は、既存の様々な電動ドライバに対して簡易な作業で外付けすることが可能な電動ドライバ操作情報表示器、及び該電動ドライバ操作情報表示器が取り付けられた操作情報表示機能付き電動ドライバを提供することを目的とする。
【課題を解決するための手段】
【０００８】
すなわち本発明は、
電動ドライバのドライバハウジングに外付けされ、該電動ドライバの操作に関する情報を表示するようにされた電動ドライバ操作情報表示器であって、
前記電動ドライバの前記ドライバハウジングの後端部の外周面に固定されるようにされた支持固定部材と、
該支持固定部材に設けられた支持固定部に係合固定される固定部を有する表示器ハウジングであって、該固定部を前記支持固定部に固定することにより前記電動ドライバの後端部の後方位置に保持される表示器ハウジングと、
前記表示器ハウジング内に配置される表示制御回路であって、前記電動ドライバの前記ドライバハウジング内に配置された電動ドライバ駆動制御回路と、前記ドライバハウジングの外部にある外部制御回路と、のうちの少なくとも一方に接続され、該少なくとも一方から受信した信号に基づき当該電動ドライバの操作に関する信号を発信する表示制御回路と、
前記表示制御回路が発信した前記電動ドライバの操作に関する信号を受信して前記電動ドライバの操作に関する情報を表示する操作情報表示部と、
を備える電動ドライバ操作情報表示器を提供する。
【０００９】
当該電動ドライバ操作情報表示器においては、支持固定部材が電動ドライバのドライバハウジングの外周面に固定されるようにされており、表示制御回路がその中に配置された表示器ハウジングは支持固定部材に係合固定されるようになっているので、支持固定部材だけを取り付ける対象となる電動ドライバの形状に合わせて形成すれば良く、表示器ハウジングはどの電動ドライバに対しても共通の形状とすることが可能となる。従って、当該電動ドライバ操作情報表示器は、各種電動ドライバの形状に合わせた支持固定部材を準備すれば、どの電動ドライバに対して外付けできる。
【００１０】
好ましくは、前記支持固定部材が、前記電動ドライバの前記外周面を覆うリング状の形状を有するようにすることができる。
【００１１】
さらに好ましくは、前記支持固定部材が前記ドライバハウジングの前記外周面の形状に沿う形状の内周面を有するようにすることができる。
【００１２】
支持固定部材をこのような形状とすることで、電動ドライバ操作情報表示器をより強固に電動ドライバに外付けすることが可能となると共に、支持固定部材と電動ドライバとの隙間から表示器ハウジング内に埃や水などが浸入することを防止することも可能となる。
【００１３】
好ましくは、前記表示器ハウジングの前記固定部と前記支持固定部材の支持固定部とが、前記支持固定部材の軸線方向で嵌合されるようにすることができる。
【００１４】
このような構造により、表示器ハウジングの支持固定部材に対する特に支持固定部材の径方向への位置ずれが防止されるようになるので、表示器ハウジングの支持固定部材に対する位置をより安定させることが可能となる。
【００１５】
好ましくは、前記電動ドライバの前記ドライバハウジングの前記後端部に、当該電動ドライバを吊り下げるための吊り下げ用穴が設けられており、
前記表示器ハウジングが、該表示器ハウジングの外周面から内周面にまで貫通する貫通孔を有し、
該貫通孔を通って前記吊り下げ用穴に挿入されて前記表示器ハウジングと前記ドライバハウジングの前記後端部とを連結する連結部材をさらに備えるようにすることができる。
【００１６】
具体的には、前記表示器ハウジングの前記貫通孔が雌ネジになっており、前記連結部材が前記雌ネジに螺合する雄ネジ部材とされているようにすることができる。
【００１７】
表示器ハウジングを電動ドライバのドライバハウジングに対しても上述のように連結するようにすることで、万が一、表示器ハウジングが支持固定部材から外れてしまうようなことがあっても、表示器ハウジングが電動ドライバから外れてしまうことを防止できる。
【００１８】
好ましくは、前記表示器ハウジングが、吊りフックを固定するための吊り下げ用穴を有するようにすることができる。
【００１９】
吊りフックは、通常、電動ドライバの後端部に取り付けられるが、当該電動ドライバ操作情報表示器が電動ドライバの後端部に外付けされることで電動ドライバ自身に吊りフックが取り付けられなくなってしまった場合でも、当該電動ドライバ操作情報表示器に吊りフックを取り付けられるようになるので、この吊りフックを利用して電動ドライバを所定の位置に吊すことが可能となる。
【００２０】
好ましくは、前記操作情報表示部が、前記表示制御回路から前記電動ドライバの操作に関する情報を受信して発光する発光表示素子を有するようにすることができる。
【００２１】
電動ドライバの操作に関する情報が視覚的に確認できるので、騒音が大きい作業現場においても的確に作業者に情報を伝えることが可能となる。
【００２２】
具体的には、
前記電動ドライバの操作に関する情報が、
前記外部制御回路から送信される信号に基づく、前記電動ドライバが使用可能であることを示す情報と、
前記電動ドライバの動作状態を示す情報と、
前記電動ドライバの修理点検を行う時期を示す情報と、
前記電動ドライバが強制的に停止された状態を示す情報と、
のうちの少なくとも一つであるようにすることができる。
【００２３】
好ましくは、前記表示制御回路が、受信した前記電動ドライバの操作に関する信号を記録する記録手段と、該記録手段に記録した信号のデータを外部に転送するためのデータ出力端子とを備えるようにすることができる。
【００２４】
記録されたデータを取り出して解析することにより、作業者の作業状態を把握し、作業者が効率的に作業をしているかを管理することが可能となる。
【００２５】
好ましくは、前記表示制御回路が前記電動ドライバ駆動制御回路と接続されるようにされており、
前記表示制御回路に一端が接続された内部信号送信配線をさらに備え、該内部信号送信配線の他端が前記電動ドライバ駆動制御回路に接続されるようにすることができる。
【００２６】
以下、本発明に係る電動ドライバ操作情報表示器、及び操作情報表示機能付き電動ドライバの実施形態を添付図面に基づき説明する。
【図面の簡単な説明】
【００２７】
【図１】本発明に係る操作情報表示機能付き電動ドライバの上面図である。
【図２】図１の操作情報表示機能付き電動ドライバの側面図である。
【図３】電動ドライバ操作情報表示器が取り付けられる前の電動ドライバの側面図である。
【図４】図３の電動ドライバの断面図である。
【図５】図２の操作情報表示機能付き電動ドライバの断面図である。
【図６】コード保持部材を示す図である。
【図７Ａ】電動ドライバ操作情報表示器を電動ドライバに取り付ける手順を示す第１の図である。
【図７Ｂ】電動ドライバ操作情報表示器を電動ドライバに取り付ける手順を示す第２の図である。
【図７Ｃ】電動ドライバ操作情報表示器を電動ドライバに取り付ける手順を示す第３の図である。
【図７Ｄ】電動ドライバ操作情報表示器を電動ドライバに取り付ける手順を示す第４の図である。
【図７Ｅ】電動ドライバ操作情報表示器を電動ドライバに取り付ける手順を示す第５の図である。
【図７Ｆ】電動ドライバ操作情報表示器を電動ドライバに取り付ける手順を示す第６の図である。
【図７Ｇ】電動ドライバ操作情報表示器を電動ドライバに取り付ける手順を示す第７の図である。
【図７Ｈ】電動ドライバ操作情報表示器を電動ドライバに取り付ける手順を示す第８の図である。
【図８】種々の電動ドライバを示す図である。
【図９】図８の種々の電動ドライバの後端部の断面図である。
【図１０】図８の種々の電動ドライバの後端部の外周面に沿う形状を有する支持固定部材を示す図である。
【発明を実施するための形態】
【００２８】
本発明に係る操作情報表示機能付き電動ドライバ１は、図１及び図２に示すように、電動ドライバ１０と、電動ドライバ１０の後端部１４に外付けされた電動ドライバ操作情報表示器５０とからなる。電動ドライバ操作情報表示器５０は、後述するように、電動ドライバ１０及び外部制御回路（図示しない）と電気的に接続されていて、電動ドライバ１０及び外部制御回路から出力される信号を受信して電動ドライバ１０の操作に関する情報をリング状の操作情報表示部（光透過リング）６８に視覚的に表示するようになっている。
【００２９】
電動ドライバ操作情報表示器５０が取り付けられる電動ドライバ１０は、図３及び図４に示すように、筒状のドライバハウジング１２と、ドライバハウジング１２内に配置されたモータ２０と、モータ２０を駆動制御するための電動ドライバ駆動制御回路２２とを備える。ドライバハウジング１２の前端部１６には、モータ２０によって回転駆動されるビットホルダ２６が設けられており、該ビットホルダ２６にはドライバビット（図示しない）が取り付けられるようになっている。ドライバハウジング１２の後端面１５には電源コード保持孔２８が形成されており、該電源コード保持孔２８に電源コード３２の外周に固定された電源コード固定用環状部材３４を係合して固定することで、ドライバハウジング１２から抜けないように保持している。電動ドライバ駆動制御回路２２から延在し電源コード固定用環状部材３４に至るまでの電源コード３２の部分は、ドライバハウジング１２内で折り畳まれて長さに余裕をもった状態で配置されている。ドライバハウジング１２の後端部１４には、ドライバハウジング１２の外周面１８からドライバハウジング１２の長手軸線Ｌに直交する内側向きに延びる２つの吊り下げ用穴３０が互いに対向する位置に形成されている。この２つの吊り下げ用穴３０には、電動ドライバ１０を吊り下げておくための吊りフック３６が取り付けられる。ドライバハウジング１２にはさらに、ドライバハウジング１２の外から操作可能なように切替スイッチ３８が設けられている。この切替スイッチ３８は電動ドライバ駆動制御回路２２に接続されており、切替スイッチ３８を操作することによりモータ２０の駆動方向が正転、逆転、又はニュートラルに切り替わるようになっている。この電動ドライバ１０は、ビットホルダ２６に保持されたドライバビットを押し込むように操作したときにモータ２０が回転駆動されるようになっており、モータ２０が正転駆動したときには右ネジを締める方向にビットホルダ２６が回転し、モータ２０が逆転駆動したときには右ネジを緩める方向にビットホルダ２６が回転する。また、切替スイッチ３８がニュートラルになっているときには、モータ２０は駆動しない。
【００３０】
電動ドライバ１０の後端部１４に外付けされる電動ドライバ操作情報表示器５０は、図１、図２及び図５に示すように、電動ドライバ１０の後端部１４の外周面１８に固定されるリング状の支持固定部材５２と、この支持固定部材５２に係合固定される表示器ハウジング５８と、表示器ハウジング５８内に配置された表示制御回路７８とを備える。支持固定部材５２の内周面５４は、後述するようにドライバハウジング１２の後端部１４の外周面１８の形状に沿う形状とされており（図１０）、ドライバハウジング１２に固定されたときに、該ドライバハウジング１２の外周面１８との間に隙間が形成されないようになっている。支持固定部材５２の外周面には段差形状を有する支持固定部５６が形成されている。また、表示器ハウジング５８の内周面には段差形状を有する固定部６０が形成されている。表示器ハウジング５８と支持固定部材５２とは、リング状の支持固定部材５２の軸線方向で表示器ハウジング５８の固定部６０と支持固定部材５２の支持固定部５６とが嵌合した状態で固定される。
【００３１】
表示器ハウジング５８は、支持固定部材５２に嵌合する円筒状の表示器ハウジング本体６２と、光を透過する透明な材料で形成された光透過リング６８と、コード保持部材７０と、を備える。表示器ハウジング５８は、後述するように、表示器ハウジング本体６２とコード保持部材７０との間に光透過リング６８を挟持した状態で、表示器ハウジング本体６２とコード保持部材７０とをネジ固定することで構成されている。表示制御回路７８にはＬＥＤが設けられており、表示制御回路７８からの信号に応じて発光するようになっている。ＬＥＤの光は、光透過リング６８を介して電動ドライバ操作情報表示器５０の外から視認できるようになっている。
【００３２】
電動ドライバ操作情報表示器５０が電動ドライバ１０の後端部１４に外付けされた状態では、図５に示すように、電源コード固定用環状部材３４は、ドライバハウジング１２の電源コード保持孔２８から外されて、コード保持部材７０に保持固定される。コード保持部材７０は、図６に示すように、第１部材７０−１及び第２部材７０−２からなり、この第１部材７０−１及び第２部材７０−２の間に電源コード保持孔７２が構成される。コード保持部材７０の電源コード保持孔７２に保持された電源コード３２は、図５に示すように、ドライバハウジング１２内の電動ドライバ駆動制御回路２２から、ドライバハウジング１２の電源コード保持孔２８および表示器ハウジング５８内を通って延在した状態となる。電動ドライバ駆動制御回路２２には、電動ドライバ１０の操作に関する信号を出力する信号出力端子２４（図７Ｂが設けられている。一方、表示制御回路７８には、電動ドライバ１０からの信号を受信するための内部信号入力端子８０（図７Ｇ）が設けられている。電動ドライバ駆動制御回路２２の信号出力端子２４と表示制御回路７８の内部信号入力端子８０との間は、内部信号送信配線８２によって接続されている。この内部信号送信配線８２は、電源コード固定用環状部材３４が取り外されることによって隙間が形成された電源コード保持孔２８を通って延在するように配線される。表示制御回路７８にはさらに外部信号入力端子８１（図７Ｇ）が設けられており、外部制御回路からの外部信号を送信する外部信号送信配線８８が接続されるようになっている。この外部信号送信配線８８は、その外周に固定された送信配線固定用環状部材９０がコード保持部材７０の第１部材７０−１と第２部材７０−２との間に形成された送信配線保持孔７４（図６）に固定保持されることで保持されている。
【００３３】
電動ドライバ駆動制御回路２２は、電動ドライバ１０の操作に関する信号として、例えば、モータ２０のＯＮ／ＯＦＦの状態、切替スイッチ３８によって設定されている正転・逆転・ニュートラルの設定状態、ネジ締めの完了、モータ２０の温度などを示す信号を信号出力端子２４から出力する機能を有する。また、外部制御回路は、外部信号として、例えば、該外部制御回路に接続されている複数の電動ドライバのうちのどの電動ドライバを使用するべきであるか又はどの電動ドライバが使用可能であるかを示す信号を出力する機能を有する。電動ドライバ操作情報表示器５０の表示制御回路７８は、電動ドライバ駆動制御回路２２及び外部制御回路から上述のような信号を受信し、受信した信号に応じて電動ドライバ１０の操作に関する情報を、ＬＥＤを発光させることで作業者に対して表示するようになっている。電動ドライバ１０の操作に関する情報としては、例えば、電動ドライバ１０が使用可能であることを示す情報、電動ドライバ１０の動作状態を示す情報、電動ドライバ１０の修理点検を行う時期を示す情報、電動ドライバ１０が強制的に停止された状態を示す情報、などがある。電動ドライバ１０が使用可能であることを示す情報は、外部制御回路から送信される信号に基づき表示される。また、動作状態を示す情報には、具体的には、ビットホルダ２６に規定のトルクが掛かってビットホルダ２６の回転駆動が一時的に停止され、規定のトルクでのネジ締めが正常に完了したことを示す情報や、切替スイッチ３８に設定されている、正転、逆転、及びニュートラルの状態を示す情報などが含まれる。また、修理点検を行う時期を示す情報は、使用開始時からのネジ締め完了の回数を積算してそれが規定値以上になったときや、モータ２０の駆動時間を積算しそれが規定値以上になったとき、電動ドライバ１０のモータ２０がブラシモータである場合においてブラシモータのブラシが規定値以下にまで減ったとき、ビットホルダ２６に規定のトルクが掛かってもモータ２０が停止せず、ビットホルダ２６の回転駆動が停止しないとき、などに表示される。また、電動ドライバ１０が強制的に停止された状態を示す情報は、モータ２０の温度が一定値以上にまで上昇してモータ２０を冷却する必要があると判断されたときなどに表示される。
【００３４】
本実施形態においては、操作情報の表示手段としてＬＥＤの点灯／点滅を用いているが、これに代えて文字を表示できるディスプレイによって表示を行うようにすることもできる。その場合には、電動ドライバ１０の操作に関する情報として、ネジ締めを正常に完了した回数や、モータ２０の駆動時間の積算値等を数値で表示するようにしてもよいし、上述のような作業者に知らせる情報を文字で表示するようにしてもよい。
【００３５】
なお、当該電動ドライバ操作情報表示器５０に表示可能な情報は、１つではなく、例えば複数の異なる色のＬＥＤを備えるようにするなどして、複数の情報を同時に表示するようにすることもできる。また、当該電動ドライバ操作情報表示器５０は、どの情報を表示するようにするかをユーザの要求に応じて選択して設定可能となっている。
【００３６】
表示制御回路７８は、電動ドライバ１０の操作に関する信号を発信する機能だけでなく、電動ドライバ駆動制御回路２２や外部制御回路から受信した信号をデータとして蓄積しておく記録手段を有すると共に蓄積したデータを外部に転送するためのデータ出力端子としてＵＳＢ端子等を備えるようにすることもできる。蓄積されたデータを取り出して解析することにより、作業者が効率的に作業をしているかを管理することが可能となる。具体的には、逆転して駆動している回数が多い場合には、ネジの締め直し作業を多く行っている可能性が高いのでネジ締めのミスが多いと判断できるし、モータ２０の駆動時間が長い場合には、無駄にモータ２０を駆動させている時間が多いと判断することもできる。また、電動ドライバ１０の修理調整の時期が迫っていることも分かるので、それに合わせて交換用の電動ドライバ１０を事前に準備しておくこともできる。なお、上述した電動ドライバ操作情報表示器５０にどの情報を表示するかの設定は、上記ＵＳＢ端子をコンピュータに接続して該コンピュータから表示制御回路７８の設定を変更することにより行なうことができる。
【００３７】
表示器ハウジング５８のコード保持部材７０には、第１部材７０−１及び第２部材７０−２のそれぞれの外周面から長手軸線Ｌに直交する内側向きに開いた吊り下げ用穴７６（図７Ｇ）が互いに対向するように形成されている。この２つの吊り下げ用穴７６には、電動ドライバ１０に取り付けられていた吊りフック３６が取り付けられるようになっている。なお、吊りフック３６が取り付けられる吊り下げ用穴７６の底面には、第１部材７０−１と第２部材７０−２とを連結するネジ９６が通るネジ穴９５がコード保持部材７０の中心に向かう方向にさらに延在するように設けられている。
【００３８】
次に電動ドライバ１０に電動ドライバ操作情報表示器５０を外付けする手順を図７Ａ乃至図７Ｈを参照しながら説明する。まず、電動ドライバ１０の後端部１４に取り付けられている吊りフック３６（図４）を吊り下げ用穴３０から外す。さらに電動ドライバ１０の前端部１６に取り付けられた円筒状のカバー４０及びカップリング４２を外し、ドライバハウジング１２を構成する第１及び第２のハウジング部材１２−１、１２−２（図１）を連結している３つのネジ４４−１，４４−２、４４−３を外して（図７Ａ）、第１のハウジング部材１２−１から第２のハウジング部材１２−２を取り外す（図７Ｂ）。なお、ネジ４４−１が通るネジ穴は、吊りフック３６が取り付けられていた吊り下げ用穴３０の底面からドライバハウジング１２の中心に向かう方向にさらに延在するように設けられている。次に、電源コード固定用環状部材３４をドライバハウジング１２の電源コード保持孔２８から外して、電源コード３２のドライバハウジング１２内に折り畳まれるように収納されていた部分を電源コード保持孔２８から外部に引き出す。また、内部信号送信配線８２の第１端部８４を電動ドライバ駆動制御回路２２の信号出力端子２４に接続するとともに、電源コード保持孔２８を通って延在するように配置する（図７Ｃ）。取り外していた第２のハウジング部材１２−２を再び取り付けて３つのネジ４４−１、４４−２、４４−３で第１及び第２のハウジング部材１２−１、１２−２を連結固定する（図７Ｄ）。次に、ドライバハウジング１２の後端部１４の外周面１８にリング状の支持固定部材５２を圧入して固定する（図７Ｅ）。上述のように支持固定部材５２の内周面５４の形状は、ドライバハウジング１２の外周面１８の形状に沿う形状となっているので、支持固定部材５２の内周面５４とドライバハウジング１２の外周面１８との間は実質的に隙間がない状態で固定される。なお、ドライバハウジング１２と支持固定部材５２との固定は、接着材により固定してもよい。次に、表示器ハウジング本体６２を、その固定部６０が支持固定部材５２の支持固定部５６に軸線方向で嵌合するように、支持固定部材５２に取り付ける（図７Ｆ）。表示器ハウジング本体６２の固定部６０には外周面から内周面にまで貫通するネジ穴６４（図５）が２つ設けられており、このネジ穴６４に止めネジ９２を螺合することで表示器ハウジング５８と支持固定部材５２とが固定される。また、表示器ハウジング本体６２には、ドライバハウジング１２の吊り下げ用穴３０に対応する位置においてその外周面から内周面に貫通するネジ穴６６がさらに２つ設けられており、雄ネジ部を有する連結部材９４（図７Ｇ）が表示器ハウジング本体６２の内周面から突出してさらにドライバハウジング１２の吊り下げ用穴３０の中にまで延在するように、このネジ穴６６に螺合されるようになっている。この連結部材９４によって、表示器ハウジング本体６２がドライバハウジング１２に連結支持されて電動ドライバ１０から抜けないように保持される。次に、表示制御回路７８の内部信号入力端子８０にドライバハウジング１２内から延在する内部信号送信配線８２の第２端部８６を接続する（図７Ｇ）。さらに光透過リング６８の内側を通るようにして外部信号送信配線８８の接続端子８９を表示制御回路７８の外部信号入力端子８１に接続する。次に、コード保持部材７０の第１部材７０−１と第２部材７０−２（図６）とを、電源コード固定用環状部材３４と送信配線固定用環状部材９０とがそれぞれ電源コード保持孔７２と送信配線保持孔７４とに挟持された状態で、ネジ９６をネジ穴９５に通して連結固定する。連結固定されたコード保持部材７０を、表示器ハウジング本体６２との間に表示制御回路７８及び光透過リング６８を挟んだ状態で、表示器ハウジング本体６２にネジ９８で固定する。最後に、吊り下げ用穴７６に吊りフック３６を取り付けて、電動ドライバ操作情報表示器５０の電動ドライバ１０への取付作業が完了する（図７Ｈ）。
【００３９】
このように、当該電動ドライバ操作情報表示器５０は、既存の電動ドライバ１０に対して追加工を施すことなく外付けすることが可能である。また、電源コード３２は、電動ドライバ操作情報表示器５０が取り付けられることを想定して、ドライバハウジング１２の外に引き出されて、電源コード固定用環状部材３４を表示器ハウジング５８の電源コード保持孔７２にまで移動させるのに十分な長さを有するようにドライバハウジング１２内で折り畳まれて配置されている。そのため、電動ドライバ操作情報表示器５０を取り付けるに際して、電源コード３２を交換したり、電源コード３２の長さを延長したりするなどの作業も必要ない。
【００４０】
既存の電動ドライバ１０の大きさ及び形状は図８ａ乃至８ｃに例示するように様々である。従って、ドライバハウジング１２の後端部１４の外周面１８の大きさ及び形状も図９ａ乃至図９ｃに例示するよう様々である。そのため、表示器を外付けするには、通常、表示器本体を電動ドライバの各種形状に合わせて複数用意する必要がある。しかし、本発明に係る電動ドライバ操作情報表示器５０においては、電動ドライバ１０の外周面１８に直接係合固定される支持固定部材５２が、表示器ハウジング５８とは別部材であるため、図１０ａ乃至図１０ｃに示すように各電動ドライバの外周面１８の形状に合った内周面５４を有する支持固定部材５２さえ用意すれば、表示器ハウジング５８は形状の異なる電動ドライバ１０に対して共通して使用することが可能となる。このように、当該電動ドライバ操作情報表示器５０は、外周面１８の形状の異なる様々な電動ドライバ１０に対して外付けしたい場合においても、構造が比較的に単純な支持固定部材５２のみをその電動ドライバ１０に合わせて準備するだけでよい。
【００４１】
なお、上記実施形態においては、電動ドライバ１０の操作に関する情報を表示する操作情報表示部として発光表示素子であるＬＥＤを用い、該情報を視覚的に表示するようにしているが、他の発光表示素子とすることもできるし、また音声によって表示するようにしてもよい。また、表示制御回路７８は、電動ドライバ駆動制御回路２２と外部制御回路との両方に接続されるようになっているが、いずれか一方のみに接続するようにしてもよい。さらに、支持固定部材５２は必ずしもリング形状である必要はなく、表示器ハウジング５８を固定支持できる形状であればよく、またドライバハウジング１２と一体の部材として形成するようにしてもよいし、表示器ハウジング本体６２と一体の部材として形成するようにしてもよい。
【００４２】
上記実施形態では、支持固定部材５２をドライバハウジング１２の外周面１８に圧入により固定するようにしているが、支持固定部材５２に固定された表示器ハウジング５８は連結部材９４によりドライバハウジング１２から抜けないように支持されているので、支持固定部材５２は、必ずしもドライバハウジング１２の外周面１８に強固に固定されている必要はなく、表示器ハウジング５８が連結部材９４を軸として傾かないようにドライバハウジング１２の外周面１８に係合しているだけでもよい。
【符号の説明】
【００４３】
操作情報表示機能付き電動ドライバ１；電動ドライバ１０；ドライバハウジング１２；第１のハウジング部材１２−１；第２のハウジング部材１２−２；後端部１４；後端面１５；前端部１６；外周面１８；モータ２０；電動ドライバ駆動制御回路２２；信号出力端子２４；ビットホルダ２６；電源コード保持孔２８；長手軸線Ｌ；吊り下げ用穴３０；電源コード３２；電源コード固定用環状部材３４；吊りフック３６；切替スイッチ３８；カバー４０；カップリング４２；ネジ４４；電動ドライバ操作情報表示器５０；支持固定部材５２；内周面５４；支持固定部５６；表示器ハウジング５８；固定部６０；表示器ハウジング本体６２；ネジ穴６４；ネジ穴６６；操作情報表示部、光透過リング６８；コード保持部材７０；第１部材７０−１；第２部材７０−２；電源コード保持孔７２；送信配線保持孔７４；吊り下げ用穴７６；表示制御回路７８；内部信号入力端子８０；外部信号入力端子８１；内部信号送信配線８２；第１端部８４；第２端部８６；外部信号送信配線８８；接続端子８９；送信配線固定用環状部材９０；止めネジ９２；連結部材９４；ネジ穴９５；ネジ９６；ネジ９８
【図１】
2015080831.tif 000003
【図２】
2015080831.tif 000004
【図３】
2015080831.tif 000005
【図４】
2015080831.tif 000006
【図６】
2015080831.tif 000007
【図７Ａ】
2015080831.tif 000008
【図７Ｂ】
2015080831.tif 000009
【図７Ｃ】
2015080831.tif 000010
【図７Ｄ】
2015080831.tif 000011
【図７Ｅ】
2015080831.tif 000012
【図７Ｆ】
2015080831.tif 000013
【図７Ｇ】
2015080831.tif 000014
【図７Ｈ】
2015080831.tif 000015
【図８】
2015080831.tif 000016
【図９】
2015080831.tif 000017
【図１０】
2015080831.tif 000018
【図５】
2015080831.tif 000019
【手続補正書】
【提出日】平成26年12月2日(2014.12.2)
【手続補正１】
【補正対象書類名】明細書
【補正対象項目名】全文
【補正方法】変更
【補正の内容】
【発明の詳細な説明】
【技術分野】
【０００１】
本発明は、電動ドライバの操作に関する情報を表示する電動ドライバ操作情報表示器、及び該電動ドライバ操作情報表示器を備えた操作情報表示機能付き電動ドライバに関する。より具体的には、電動ドライバに外付け可能な電動ドライバ操作情報表示器、及び該電動ドライバ操作情報表示器が外付けされた操作情報表示機能付き電動ドライバに関する。
【背景技術】
【０００２】
電動ドライバにおいて、該電動ドライバの駆動状態を作業者に知らせる表示手段を備えたものが知られている（特許文献１）。この電動ドライバにおいては、モータが駆動状態にあることを示すＬＥＤと、規定以上のトルクが発生してモータが停止された状態であることを示すＬＥＤとが電動ドライバ本体に備えられていて、モータの駆動状態が視覚的に確認できるようになっている。
【０００３】
また、多品種の製品を製造する製造ラインなどでは、製品毎に異なる工具を使用することが必要となる場合が多いが、そのような製造ラインにおいては、どの工具を使用するべきであるかを作業者の判断に任せると誤った工具を使用してしまう虞がある。そのような判断ミスを防止するために、製造ラインでの作業をコントロールするための制御回路（以下において、この種の制御回路を「外部制御回路」とする）から使用すべき工具に信号を送り、その工具に設けられたＬＥＤを点灯させて作業者に使用すべき工具を知らせるようにした工具管理システムが開発されている（特許文献２）。
【０００４】
上述のような、電動ドライバに関するモータの駆動状態を示す情報や、複数ある電動ドライバ等の工具のうちのどれを使用すべきかといった情報などは、それら工具を使用する全てのユーザが求めるものではなく、また、そのような情報が求められる場合でもユーザ毎に表示したい情報は異なる場合がほとんどである。そのため、各ユーザの個別の要求に対応するために、従来は、特注品として特定の表示機能を備えた電動ドライバを製造していた。また、既に使用している電動ドライバに情報表示機能を後で追加したい場合もある。そのような場合には、後付けで表示器を取り付けることもできるが、電動ドライバには多数の仕様・形状があるので、既存の電動ドライバに表示器を後から取り付ける場合には、各電動ドライバの形状に合わせた表示器をそれぞれ製造する必要があった。
【先行技術文献】
【特許文献】
【０００５】
【特許文献１】実開平６−８３２７２号公報
【特許文献２】特許第５０７８８５５号公報
【発明の概要】
【発明が解決しようとする課題】
【０００６】
しかし、上述のような方法で電動ドライバに情報表示機能を付加することは煩雑で手間のかかる作業である。そのため、そのような作業をより簡易にできるようにすることが望まれていた。
【０００７】
そこで本発明は、既存の様々な電動ドライバに対して簡易な作業で外付けすることが可能な電動ドライバ操作情報表示器、及び該電動ドライバ操作情報表示器が取り付けられた操作情報表示機能付き電動ドライバを提供することを目的とする。
【課題を解決するための手段】
【０００８】
すなわち本発明は、
電動ドライバのドライバハウジングに外付けされ、該電動ドライバの操作に関する情報を表示するようにされた電動ドライバ操作情報表示器であって、
前記ドライバハウジングの後端部の外周面に固定されるようにされた支持固定部材と、
該支持固定部材に設けられた支持固定部に係合固定される固定部を有する表示器ハウジングであって、該固定部を前記支持固定部に固定することにより前記電動ドライバの後端部の後方位置に保持される表示器ハウジングと、
前記表示器ハウジング内に配置される表示制御回路であって、前記ドライバハウジング内に配置された電動ドライバ駆動制御回路と、前記ドライバハウジングの外部にある外部制御回路と、のうちの少なくとも一方に接続され、該少なくとも一方から受信した信号に基づき前記電動ドライバの操作に関する信号を発信する表示制御回路と、
前記表示制御回路が発信した前記電動ドライバの操作に関する前記信号を受信して前記電動ドライバの操作に関する情報を表示する操作情報表示部と、
を備える電動ドライバ操作情報表示器を提供する。
【０００９】
当該電動ドライバ操作情報表示器においては、支持固定部材が電動ドライバのドライバハウジングの外周面に固定されるようにされており、表示制御回路がその中に配置された表示器ハウジングは支持固定部材に係合固定されるようになっているので、支持固定部材だけを取り付ける対象となる電動ドライバの形状に合わせて形成すれば良く、表示器ハウジングはどの電動ドライバに対しても共通の形状とすることが可能となる。従って、当該電動ドライバ操作情報表示器は、各種電動ドライバの形状に合わせた支持固定部材を準備すれば、どの電動ドライバに対しても外付けできる。
【００１０】
好ましくは、前記支持固定部材が、前記ドライバハウジングの前記外周面を覆うリング状の形状を有するようにすることができる。
【００１１】
さらに好ましくは、前記支持固定部材が前記ドライバハウジングの前記外周面の形状に沿う形状の内周面を有するようにすることができる。
【００１２】
支持固定部材をこのような形状とすることで、電動ドライバ操作情報表示器をより強固に電動ドライバに外付けすることが可能となると共に、支持固定部材と電動ドライバとの隙間から表示器ハウジング内に埃や水などが浸入することを防止することも可能となる。
【００１３】
好ましくは、前記表示器ハウジングの前記固定部と前記支持固定部材の支持固定部とが、前記支持固定部材の軸線方向で嵌合されるようにすることができる。
【００１４】
このような構造により、表示器ハウジングの支持固定部材に対する特に支持固定部材の径方向への位置ずれが防止されるようになるので、表示器ハウジングの支持固定部材に対する位置をより安定させることが可能となる。
【００１５】
好ましくは、前記ドライバハウジングの前記後端部に、前記電動ドライバを吊り下げるための吊り下げ用穴が設けられており、
前記表示器ハウジングが、該表示器ハウジングの外周面から内周面にまで貫通する貫通孔を有し、
該貫通孔を通って前記吊り下げ用穴に挿入されて前記表示器ハウジングと前記ドライバハウジングの前記後端部とを連結する連結部材をさらに備えるようにすることができる。
【００１６】
具体的には、前記表示器ハウジングの前記貫通孔が雌ネジになっており、前記連結部材が前記雌ネジに螺合する雄ネジ部材とされているようにすることができる。
【００１７】
表示器ハウジングを電動ドライバのドライバハウジングに対しても上述のように連結するようにすることで、万が一、表示器ハウジングが支持固定部材から外れてしまうようなことがあったとしても、表示器ハウジングが電動ドライバから外れてしまうことは防止できるようになる。
【００１８】
好ましくは、前記表示器ハウジングが、吊りフックを固定するための吊り下げ用穴を有するようにすることができる。
【００１９】
吊りフックは、通常、電動ドライバの後端部に取り付けられるが、当該電動ドライバ操作情報表示器が電動ドライバの後端部に外付けされることで電動ドライバ自身に吊りフックが取り付けられなくなってしまった場合でも、当該電動ドライバ操作情報表示器に吊りフックを取り付けられるようになるので、この吊りフックを利用して電動ドライバを所定の位置に吊すことが可能となる。
【００２０】
好ましくは、前記操作情報表示部が、前記表示制御回路から前記電動ドライバの操作に関する前記信号を受信して発光する発光表示素子を有するようにすることができる。
【００２１】
電動ドライバの操作に関する情報が視覚的に確認できるので、騒音が大きい作業現場においても的確に作業者に情報を伝えることが可能となる。
【００２２】
具体的には、
前記電動ドライバの操作に関する前記情報が、
前記外部制御回路から送信される信号に基づく、前記電動ドライバが使用可能であることを示す情報と、
前記電動ドライバの動作状態を示す情報と、
前記電動ドライバの修理点検を行う時期を示す情報と、
前記電動ドライバが強制的に停止された状態を示す情報と、
のうちの少なくとも一つであるようにすることができる。
【００２３】
好ましくは、前記表示制御回路が、受信した前記電動ドライバの操作に関する前記信号を記録する記録手段と、該記録手段に記録した信号のデータを外部に転送するためのデータ出力端子とを備えるようにすることができる。
【００２４】
記録されたデータを取り出して解析することにより、作業者の作業状態を把握し、作業者が効率的に作業をしているかを管理することが可能となる。
【００２５】
好ましくは、前記表示制御回路が前記電動ドライバ駆動制御回路と接続されるようにされており、
前記表示制御回路に一端が接続された内部信号送信配線をさらに備え、該内部信号送信配線の他端が前記電動ドライバ駆動制御回路に接続されるようにすることができる。
【００２６】
本発明はまた、
電動ドライバと、
該電動ドライバのドライバハウジングに外付けされた、上記電動ドライバ操作情報表示器と、
を備える、操作情報表示機能付き電動ドライバを提供する。
【００２７】
以下、本発明に係る電動ドライバ操作情報表示器、及び操作情報表示機能付き電動ドライバの実施形態を添付図面に基づき説明する。
【図面の簡単な説明】
【００２８】
【図１】本発明に係る操作情報表示機能付き電動ドライバの上面図である。
【図２】図１の操作情報表示機能付き電動ドライバの側面図である。
【図３】電動ドライバ操作情報表示器が取り付けられる前の電動ドライバの側面図である。
【図４】図３の電動ドライバの断面図である。
【図５】図２の操作情報表示機能付き電動ドライバの断面図である。
【図６】コード保持部材を示す図である。
【図７Ａ】電動ドライバ操作情報表示器を電動ドライバに取り付ける手順を示す第１の図である。
【図７Ｂ】電動ドライバ操作情報表示器を電動ドライバに取り付ける手順を示す第２の図である。
【図７Ｃ】電動ドライバ操作情報表示器を電動ドライバに取り付ける手順を示す第３の図である。
【図７Ｄ】電動ドライバ操作情報表示器を電動ドライバに取り付ける手順を示す第４の図である。
【図７Ｅ】電動ドライバ操作情報表示器を電動ドライバに取り付ける手順を示す第５の図である。
【図７Ｆ】電動ドライバ操作情報表示器を電動ドライバに取り付ける手順を示す第６の図である。
【図７Ｇ】電動ドライバ操作情報表示器を電動ドライバに取り付ける手順を示す第７の図である。
【図７Ｈ】電動ドライバ操作情報表示器を電動ドライバに取り付ける手順を示す第８の図である。
【図８】種々の電動ドライバを示す図である。
【図９】図８の種々の電動ドライバの後端部の断面図である。
【図１０】図８の種々の電動ドライバの後端部の外周面に沿う形状を有する支持固定部材を示す図である。
【発明を実施するための形態】
【００２９】
本発明に係る操作情報表示機能付き電動ドライバ１は、図１及び図２に示すように、電動ドライバ１０と、電動ドライバ１０の後端部１４に外付けされた電動ドライバ操作情報表示器５０とからなる。電動ドライバ操作情報表示器５０は、後述するように、電動ドライバ１０及び外部制御回路（図示しない）と電気的に接続されていて、電動ドライバ１０及び外部制御回路から出力される信号を受信して電動ドライバ１０の操作に関する情報をリング状の操作情報表示部（光透過リング）６８に視覚的に表示するようになっている。
【００３０】
電動ドライバ操作情報表示器５０が取り付けられる電動ドライバ１０は、図３及び図４に示すように、筒状のドライバハウジング１２と、ドライバハウジング１２内に配置されたモータ２０と、モータ２０を駆動制御するための電動ドライバ駆動制御回路２２とを備える。ドライバハウジング１２の前端部１６には、モータ２０によって回転駆動されるビットホルダ２６が設けられており、該ビットホルダ２６にはドライバビット（図示しない）が取り付けられるようになっている。ドライバハウジング１２の後端面１５には電源コード保持孔２８が形成されており、該電源コード保持孔２８に電源コード３２の外周に固定された電源コード固定用環状部材３４を係合して固定することで、電源コード３２がドライバハウジング１２から抜けないように保持している。電動ドライバ駆動制御回路２２から延在し電源コード固定用環状部材３４に至るまでの電源コード３２の部分は、ドライバハウジング１２内で折り畳まれて長さに余裕をもった状態で配置されている。ドライバハウジング１２の後端部１４には、ドライバハウジング１２の外周面１８からドライバハウジング１２の長手軸線Ｌに直交する内側向きに延びる２つの吊り下げ用穴３０が互いに対向する位置に形成されている。この２つの吊り下げ用穴３０には、電動ドライバ１０を吊り下げておくための吊りフック３６が取り付けられる。ドライバハウジング１２にはさらに、ドライバハウジング１２の外から操作可能なように切替スイッチ３８が設けられている。この切替スイッチ３８は電動ドライバ駆動制御回路２２に接続されており、切替スイッチ３８を操作することによりモータ２０の駆動方向が正転、逆転、又はニュートラルに切り替わるようになっている。この電動ドライバ１０は、ビットホルダ２６に保持されたドライバビットを押し込むように操作したときにモータ２０が回転駆動されるようになっており、モータ２０が正転駆動したときには右ネジを締める方向にビットホルダ２６が回転し、モータ２０が逆転駆動したときには右ネジを緩める方向にビットホルダ２６が回転する。また、切替スイッチ３８がニュートラルになっているときには、モータ２０は駆動しない。
【００３１】
電動ドライバ１０の後端部１４に外付けされる電動ドライバ操作情報表示器５０は、図１、図２及び図５に示すように、電動ドライバ１０の後端部１４の外周面１８に固定されるリング状の支持固定部材５２と、この支持固定部材５２に係合固定される表示器ハウジング５８と、表示器ハウジング５８内に配置された表示制御回路７８とを備える。支持固定部材５２の内周面５４は、後述するようにドライバハウジング１２の後端部１４の外周面１８の形状に沿う形状とされており（図１０）、ドライバハウジング１２に固定されたときに、該ドライバハウジング１２の外周面１８との間に隙間が形成されないようになっている。支持固定部材５２の外周面には段差形状を有する支持固定部５６が形成されている。また、表示器ハウジング５８の内周面には段差形状を有する固定部６０が形成されている。表示器ハウジング５８と支持固定部材５２とは、リング状の支持固定部材５２の軸線方向で表示器ハウジング５８の固定部６０と支持固定部材５２の支持固定部５６とが嵌合した状態で固定される。
【００３２】
表示器ハウジング５８は、支持固定部材５２に嵌合する円筒状の表示器ハウジング本体６２と、光を透過する透明な材料で形成された光透過リング６８と、コード保持部材７０と、を備える。表示器ハウジング５８は、後述するように、表示器ハウジング本体６２とコード保持部材７０との間に光透過リング６８を挟持した状態で、表示器ハウジング本体６２とコード保持部材７０とをネジ固定することで構成されている。表示制御回路７８にはＬＥＤが設けられており、このＬＥＤは表示制御回路７８からの信号に応じて発光するようになっている。ＬＥＤの光は、光透過リング６８を介して電動ドライバ操作情報表示器５０の外から視認できるようになっている。
【００３３】
電動ドライバ操作情報表示器５０が電動ドライバ１０の後端部１４に外付けされた状態では、図５に示すように、電源コード固定用環状部材３４は、ドライバハウジング１２の電源コード保持孔２８から外されて、コード保持部材７０に保持固定される。コード保持部材７０は、図６に示すように、第１部材７０−１及び第２部材７０−２からなり、この第１部材７０−１及び第２部材７０−２の間に電源コード保持孔７２が構成される。コード保持部材７０の電源コード保持孔７２に保持された電源コード３２は、図５に示すように、ドライバハウジング１２内の電動ドライバ駆動制御回路２２から、ドライバハウジング１２の電源コード保持孔２８および表示器ハウジング５８内を通って延在した状態となる。電動ドライバ駆動制御回路２２には、電動ドライバ１０の操作に関する信号を出力する信号出力端子２４（図７Ｂ）が設けられている。一方、表示制御回路７８には、電動ドライバ１０からの信号を受信するための内部信号入力端子８０（図７Ｇ）が設けられている。電動ドライバ駆動制御回路２２の信号出力端子２４と表示制御回路７８の内部信号入力端子８０との間は、内部信号送信配線８２によって接続されている。この内部信号送信配線８２は、電源コード固定用環状部材３４が取り外されることによって隙間が形成された電源コード保持孔２８を通って延在するように配線される。表示制御回路７８にはさらに外部信号入力端子８１（図７Ｇ）が設けられており、外部制御回路からの外部信号を送信する外部信号送信配線８８が接続されるようになっている。この外部信号送信配線８８は、その外周に固定された送信配線固定用環状部材９０がコード保持部材７０の第１部材７０−１と第２部材７０−２との間に形成された送信配線保持孔７４（図６）に固定保持されることで保持されている。
【００３４】
電動ドライバ駆動制御回路２２は、電動ドライバ１０の操作に関する信号として、例えば、モータ２０のＯＮ／ＯＦＦの状態、切替スイッチ３８によって設定されている正転・逆転・ニュートラルの設定状態、ネジ締めの完了、モータ２０の温度などを示す信号を信号出力端子２４から出力する機能を有する。また、外部制御回路は、外部信号として、例えば、該外部制御回路に接続されている複数の電動ドライバのうちのどの電動ドライバを使用するべきであるか又はどの電動ドライバが使用可能であるかを示す信号を出力する機能を有する。電動ドライバ操作情報表示器５０の表示制御回路７８は、電動ドライバ駆動制御回路２２及び外部制御回路から上述のような信号を受信し、受信した信号に応じて電動ドライバ１０の操作に関する情報を、ＬＥＤを発光させることで作業者に対して表示するようになっている。電動ドライバ１０の操作に関する情報としては、例えば、電動ドライバ１０が使用可能であることを示す情報、電動ドライバ１０の動作状態を示す情報、電動ドライバ１０の修理点検を行う時期を示す情報、電動ドライバ１０が強制的に停止された状態を示す情報、などがある。電動ドライバ１０が使用可能であることを示す情報は、外部制御回路から送信される信号に基づき表示される。また、動作状態を示す情報には、具体的には、ビットホルダ２６に規定のトルクが掛かってビットホルダ２６の回転駆動が一時的に停止され、規定のトルクでのネジ締めが正常に完了したことを示す情報や、切替スイッチ３８に設定されている、正転、逆転、及びニュートラルの状態を示す情報などが含まれる。また、修理点検を行う時期を示す情報は、使用開始時からのネジ締め完了の回数を積算してそれが規定値以上になったときや、モータ２０の駆動時間を積算しそれが規定値以上になったとき、電動ドライバ１０のモータ２０がブラシモータである場合においてブラシモータのブラシが規定値以下にまで減ったとき、ビットホルダ２６に規定のトルクが掛かってもモータ２０が停止せず、ビットホルダ２６の回転駆動が停止しないとき、などに表示される。また、電動ドライバ１０が強制的に停止された状態を示す情報は、モータ２０の温度が一定値以上にまで上昇してモータ２０を冷却する必要があると判断されたときなどに表示される。
【００３５】
本実施形態においては、操作情報の表示手段としてＬＥＤの点灯／点滅を用いているが、これに代えて文字を表示できるディスプレイによって表示を行うようにすることもできる。その場合には、電動ドライバ１０の操作に関する情報として、ネジ締めを正常に完了した回数や、モータ２０の駆動時間の積算値等を数値で表示するようにしてもよいし、上述のような作業者に知らせる情報を文字で表示するようにしてもよい。
【００３６】
なお、当該電動ドライバ操作情報表示器５０に表示可能な情報は、１つではなく、例えば複数の異なる色のＬＥＤを備えるようにするなどして、複数の情報を同時に表示するようにすることもできる。また、当該電動ドライバ操作情報表示器５０は、どの情報を表示するようにするかをユーザの要求に応じて選択して設定可能となっている。
【００３７】
表示制御回路７８は、電動ドライバ１０の操作に関する信号を発信する機能だけでなく、電動ドライバ駆動制御回路２２や外部制御回路から受信した信号をデータとして蓄積しておく記録手段を有すると共に蓄積したデータを外部に転送するためのデータ出力端子としてＵＳＢ端子等を備えるようにすることもできる。蓄積されたデータを取り出して解析することにより、作業者が効率的に作業をしているかを管理することが可能となる。具体的には、逆転して駆動している回数が多い場合には、ネジの締め直し作業を多く行っている可能性が高いのでネジ締めのミスが多いと判断できるし、モータ２０の駆動時間が長い場合には、無駄にモータ２０を駆動させている時間が多いと判断することもできる。また、電動ドライバ１０の修理調整の時期が迫っていることも分かるので、それに合わせて交換用の電動ドライバ１０を事前に準備しておくこともできる。なお、上述した電動ドライバ操作情報表示器５０にどの情報を表示するかの設定は、上記ＵＳＢ端子をコンピュータに接続して該コンピュータから表示制御回路７８の設定を変更することにより行なうことができる。
【００３８】
表示器ハウジング５８のコード保持部材７０には、第１部材７０−１及び第２部材７０−２のそれぞれの外周面から長手軸線Ｌに直交する内側向きに開いた吊り下げ用穴７６（図７Ｇ）が互いに対向するように形成されている。この２つの吊り下げ用穴７６には、電動ドライバ１０に取り付けられていた吊りフック３６が取り付けられるようになっている。なお、吊りフック３６が取り付けられる吊り下げ用穴７６の底面には、第１部材７０−１と第２部材７０−２とを連結するネジ９６が通るネジ穴９５がコード保持部材７０の中心に向かう方向にさらに延在するように設けられている。
【００３９】
次に電動ドライバ１０に電動ドライバ操作情報表示器５０を外付けする手順を図７Ａ乃至図７Ｈを参照しながら説明する。まず、電動ドライバ１０の後端部１４に取り付けられている吊りフック３６（図４）を吊り下げ用穴３０から外す。さらに電動ドライバ１０の前端部１６に取り付けられた円筒状のカバー４０及びカップリング４２を外し、ドライバハウジング１２を構成する第１及び第２のハウジング部材１２−１、１２−２（図１）を連結している３つのネジ４４−１，４４−２、４４−３を外して（図７Ａ）、第１のハウジング部材１２−１から第２のハウジング部材１２−２を取り外す（図７Ｂ）。なお、ネジ４４−１が通るネジ穴は、吊りフック３６が取り付けられていた吊り下げ用穴３０の底面からドライバハウジング１２の中心に向かう方向にさらに延在するように設けられている。次に、電源コード固定用環状部材３４をドライバハウジング１２の電源コード保持孔２８から外して、電源コード３２のドライバハウジング１２内に折り畳まれるように収納されていた部分を電源コード保持孔２８から外部に引き出す。また、内部信号送信配線８２の第１端部８４を電動ドライバ駆動制御回路２２の信号出力端子２４に接続するとともに、電源コード保持孔２８を通って延在するように配置する（図７Ｃ）。取り外していた第２のハウジング部材１２−２を再び取り付けて３つのネジ４４−１、４４−２、４４−３で第１及び第２のハウジング部材１２−１、１２−２を連結固定する（図７Ｄ）。次に、ドライバハウジング１２の後端部１４の外周面１８にリング状の支持固定部材５２を圧入して固定する（図７Ｅ）。上述のように支持固定部材５２の内周面５４の形状は、ドライバハウジング１２の外周面１８の形状に沿う形状となっているので、支持固定部材５２の内周面５４とドライバハウジング１２の外周面１８との間は実質的に隙間がない状態で固定される。なお、ドライバハウジング１２と支持固定部材５２との固定は、接着材により固定してもよい。次に、表示器ハウジング本体６２を、その固定部６０が支持固定部材５２の支持固定部５６に軸線方向で嵌合するように、支持固定部材５２に取り付ける（図７Ｆ）。表示器ハウジング本体６２の固定部６０には外周面から内周面にまで貫通するネジ穴６４（図５）が２つ設けられており、このネジ穴６４に止めネジ９２を螺合することで表示器ハウジング５８と支持固定部材５２とが固定される。また、表示器ハウジング本体６２には、ドライバハウジング１２の吊り下げ用穴３０に対応する位置においてその外周面から内周面に貫通するネジ穴６６がさらに２つ設けられており、雄ネジ部を有する連結部材９４（図７Ｇ）が表示器ハウジング本体６２の内周面から突出してさらにドライバハウジング１２の吊り下げ用穴３０の中にまで延在するように、このネジ穴６６に螺合されるようになっている。この連結部材９４によって、表示器ハウジング本体６２がドライバハウジング１２に連結支持されて電動ドライバ１０から抜けないように保持される。次に、表示制御回路７８の内部信号入力端子８０にドライバハウジング１２内から延在する内部信号送信配線８２の第２端部８６を接続する（図７Ｇ）。さらに光透過リング６８の内側を通るようにして外部信号送信配線８８の接続端子８９を表示制御回路７８の外部信号入力端子８１に接続する。次に、コード保持部材７０の第１部材７０−１と第２部材７０−２（図６）とを、電源コード固定用環状部材３４と送信配線固定用環状部材９０とがそれぞれ電源コード保持孔７２と送信配線保持孔７４とに挟持された状態で、ネジ９６をネジ穴９５に通して連結固定する。連結固定されたコード保持部材７０を、表示器ハウジング本体６２との間に表示制御回路７８及び光透過リング６８を挟んだ状態で、表示器ハウジング本体６２にネジ９８で固定する。最後に、吊り下げ用穴７６に吊りフック３６を取り付けて、電動ドライバ操作情報表示器５０の電動ドライバ１０への取付作業が完了する（図７Ｈ）。
【００４０】
このように、当該電動ドライバ操作情報表示器５０は、既存の電動ドライバ１０に対して追加工を施すことなく外付けすることが可能である。また、電源コード３２は、電動ドライバ操作情報表示器５０が取り付けられることを想定して、ドライバハウジング１２の外に引き出されて、電源コード固定用環状部材３４を表示器ハウジング５８の電源コード保持孔７２にまで移動させるのに十分な長さを有するようにドライバハウジング１２内で折り畳まれて配置されている。そのため、電動ドライバ操作情報表示器５０を取り付けるに際して、電源コード３２を交換したり、電源コード３２の長さを延長したりするなどの作業も必要ない。
【００４１】
既存の電動ドライバ１０の大きさ及び形状は図８ａ乃至８ｃに例示するように様々である。従って、ドライバハウジング１２の後端部１４の外周面１８の大きさ及び形状も図９ａ乃至図９ｃに例示するよう様々である。そのため、表示器を外付けするには、通常、表示器本体を電動ドライバの各種形状に合わせて複数用意する必要がある。しかし、本発明に係る電動ドライバ操作情報表示器５０においては、電動ドライバ１０の外周面１８に直接係合固定される支持固定部材５２が、表示器ハウジング５８とは別部材であるため、図１０ａ乃至図１０ｃに示すように各電動ドライバの外周面１８の形状に合った内周面５４を有する支持固定部材５２さえ用意すれば、表示器ハウジング５８は形状の異なる電動ドライバ１０に対して共通して使用することが可能となる。このように、当該電動ドライバ操作情報表示器５０は、外周面１８の形状の異なる様々な電動ドライバ１０に対して外付けしたい場合においても、構造が比較的に単純な支持固定部材５２のみをその電動ドライバ１０に合わせて準備するだけでよい。
【００４２】
なお、上記実施形態においては、電動ドライバ１０の操作に関する情報を表示する操作情報表示部として発光表示素子であるＬＥＤを用い、該情報を視覚的に表示するようにしているが、操作情報表示部を他の発光表示素子とすることもできるし、または音声によって表示するようにしてもよい。また、表示制御回路７８は、電動ドライバ駆動制御回路２２と外部制御回路との両方に接続されるようになっているが、いずれか一方のみに接続するようにしてもよい。さらに、支持固定部材５２は必ずしもリング形状である必要はなく、表示器ハウジング５８を固定支持できる形状であればよく、またドライバハウジング１２と一体の部材として形成するようにしてもよいし、表示器ハウジング本体６２と一体の部材として形成するようにしてもよい。
【００４３】
上記実施形態では、支持固定部材５２をドライバハウジング１２の外周面１８に圧入により固定するようにしているが、支持固定部材５２に固定された表示器ハウジング５８は連結部材９４によりドライバハウジング１２から抜けないように支持されているので、支持固定部材５２は、必ずしもドライバハウジング１２の外周面１８に強固に固定されている必要はなく、表示器ハウジング５８が連結部材９４を軸として傾かないようにドライバハウジング１２の外周面１８に係合しているだけでもよい。
【符号の説明】
【００４４】
操作情報表示機能付き電動ドライバ１；電動ドライバ１０；ドライバハウジング１２；第１のハウジング部材１２−１；第２のハウジング部材１２−２；後端部１４；後端面１５；前端部１６；外周面１８；モータ２０；電動ドライバ駆動制御回路２２；信号出力端子２４；ビットホルダ２６；電源コード保持孔２８；長手軸線Ｌ；吊り下げ用穴３０；電源コード３２；電源コード固定用環状部材３４；吊りフック３６；切替スイッチ３８；カバー４０；カップリング４２；ネジ４４；電動ドライバ操作情報表示器５０；支持固定部材５２；内周面５４；支持固定部５６；表示器ハウジング５８；固定部６０；表示器ハウジング本体６２；ネジ穴６４；ネジ穴６６；操作情報表示部、光透過リング６８；コード保持部材７０；第１部材７０−１；第２部材７０−２；電源コード保持孔７２；送信配線保持孔７４；吊り下げ用穴７６；表示制御回路７８；内部信号入力端子８０；外部信号入力端子８１；内部信号送信配線８２；第１端部８４；第２端部８６；外部信号送信配線８８；接続端子８９；送信配線固定用環状部材９０；止めネジ９２；連結部材９４；ネジ穴９５；ネジ９６；ネジ９８
【手続補正２】
【補正対象書類名】特許請求の範囲
【補正対象項目名】全文
【補正方法】変更
【補正の内容】
【特許請求の範囲】
【請求項１】
電動ドライバのドライバハウジングに外付けされ、該電動ドライバの操作に関する情報を表示するようにされた電動ドライバ操作情報表示器であって、
前記ドライバハウジングの後端部の外周面に固定されるようにされた支持固定部材と、
該支持固定部材に設けられた支持固定部に係合固定される固定部を有する表示器ハウジングであって、該固定部を前記支持固定部に固定することにより前記電動ドライバの後端部の後方位置に保持される表示器ハウジングと、
前記表示器ハウジング内に配置される表示制御回路であって、前記ドライバハウジング内に配置された電動ドライバ駆動制御回路と、前記ドライバハウジングの外部にある外部制御回路と、のうちの少なくとも一方に接続され、該少なくとも一方から受信した信号に基づき前記電動ドライバの操作に関する信号を発信する表示制御回路と、
前記表示制御回路が発信した前記電動ドライバの操作に関する前記信号を受信して前記電動ドライバの操作に関する情報を表示する操作情報表示部と、
を備える電動ドライバ操作情報表示器。
【請求項２】
前記支持固定部材が、前記ドライバハウジングの前記外周面を覆うリング状の形状を有する、請求項１に記載の電動ドライバ操作情報表示器。
【請求項３】
前記支持固定部材が前記ドライバハウジングの前記外周面の形状に沿う形状の内周面を有する、請求項２に記載の電動ドライバ操作情報表示器。
【請求項４】
前記表示器ハウジングの前記固定部と前記支持固定部材の支持固定部とが、前記支持固定部材の軸線方向で嵌合されるようにされた、請求項２又は３に記載の電動ドライバ操作情報表示器。
【請求項５】
前記ドライバハウジングの前記後端部に、前記電動ドライバを吊り下げるための吊り下げ用穴が設けられており、
前記表示器ハウジングが、該表示器ハウジングの外周面から内周面にまで貫通する貫通孔を有し、
該貫通孔を通って前記吊り下げ用穴に挿入されて前記表示器ハウジングと前記ドライバハウジングの前記後端部とを連結する連結部材をさらに備える、請求項１乃至４の何れか一項に記載の電動ドライバ操作情報表示器。
【請求項６】
前記表示器ハウジングの前記貫通孔が雌ネジになっており、前記連結部材が前記雌ネジに螺合する雄ネジ部材とされている、請求項５に記載の電動ドライバ操作情報表示器。
【請求項７】
前記表示器ハウジングが、吊りフックを固定するための吊り下げ用穴を有する、請求項１乃至６の何れか一項に記載の電動ドライバ操作情報表示器。
【請求項８】
前記操作情報表示部が、前記表示制御回路から前記電動ドライバの操作に関する前記信号を受信して発光する発光表示素子を有する、請求項１乃至７の何れか一項に記載の電動ドライバ操作情報表示器。
【請求項９】
前記電動ドライバの操作に関する前記情報が、
前記外部制御回路から送信される信号に基づく、前記電動ドライバが使用可能であることを示す情報と、
前記電動ドライバの動作状態を示す情報と、
前記電動ドライバの修理点検を行う時期を示す情報と、
前記電動ドライバが強制的に停止された状態を示す情報と、
のうちの少なくとも一つである、請求項１乃至８の何れか一項に記載の電動ドライバ操作情報表示器。
【請求項１０】
前記表示制御回路が、受信した前記電動ドライバの操作に関する前記信号を記録する記録手段と、該記録手段に記録した信号のデータを外部に転送するためのデータ出力端子とを備える、請求項１乃至９の何れか一項に記載の電動ドライバ操作情報表示器。
【請求項１１】
前記表示制御回路が前記電動ドライバ駆動制御回路と接続されるようにされており、
前記表示制御回路に一端が接続された内部信号送信配線をさらに備え、該内部信号送信配線の他端が前記電動ドライバ駆動制御回路に接続されるようにされている、請求項１乃至１０の何れか一項に記載の電動ドライバ操作情報表示器。
【請求項１２】
電動ドライバと、
該電動ドライバのドライバハウジングに外付けされた、請求項１乃至１１の何れか一項に記載の電動ドライバ操作情報表示器と、
を備える、操作情報表示機能付き電動ドライバ。